(57)【要約】【課題】  容器に、レバー支持板を連設したポンプ支持体を介してポンプを取付けるとともに、レバー支持板にレバーを取付け、ポンプの作動筒上端に噴射ノズルの方向を上方斜方向に傾斜させて取付け、低い場所にある台板の裏面、箱状体の内面隅部に噴霧する場合にも、片手で簡単に操作できるトリガー式液体噴射器を提供すること。【解決手段】  容器と、レバー支持板を連設したポンプ支持体と、ポンプ支持体を介して容器に取着されたポンプと、ポンプの作動筒上端に連設された噴射ノズルと、レバー支持板に取着され、作動筒に連結したレバーとを具備したトリガー式液体噴射器であって、作動筒の上端部を傾斜させ、噴射ノズルをポンプの軸線に対して傾斜させるようにしたことを特徴とする。【選択図】  図１
2005211855.tif 000002
【特許請求の範囲】
【請求項１】
容器と、レバー支持板を連設したポンプ支持体と、ポンプ支持体を介して容器に取着されたポンプと、ポンプの作動筒上端に連設された噴射ノズルと、レバー支持板に取着され、作動筒に連結したレバーとを具備したトリガー式液体噴射器であって、
作動筒の上端部を傾斜させ、
噴射ノズルをポンプの軸線に対して傾斜させるようにしたことを特徴とするトリガー式液体噴射器。
【請求項２】
容器と、レバー支持板を連設したポンプ支持体と、ポンプ支持体を介して容器に取着されたポンプと、ポンプの作動筒に接続された噴射ノズルと、レバー支持板に取着され、作動筒に連結したレバーとを具備したトリガー式液体噴射器であって、
作動筒上端に連結部材を連設し、該連結部材に噴射ノズルを廻動自在に取付けたことを特徴とするトリガー式液体噴射器。
【請求項３】
レバー支持板に、レバーの側板に設けた係合片と係合する係止板を設けたストッパーが廻動自在に取着されていることを特徴とする請求項１または２記載のトリガー式噴射器。
【発明の詳細な説明】
【技術分野】
【０００１】
本発明は、トリガー式液体噴射器、とくに噴射ノズルの方向を上方斜方向に傾斜させたトリガー式液体噴射器に関するものである。
【背景技術】
【０００２】
容器の口筒部に注出ポンプを装着し、注出ポンプのステム上端に、注出ポンプの周方向に回転可能な噴射ノズルを取付けたトリガー式液体噴射器は、従来より知られている（特許文献１参照）。
【特許文献１】特開２００２−３７３０１号公報
【発明の開示】
【発明が解決しようとする課題】
【０００３】
しかしながら、上記従来のトリガー式液体噴射器は、容器と注出ポンプの軸線に対して、周方向には自由な方向に噴射できるようになっているが、容器の上方に噴射させることはできなかった。
そのため、消毒剤や殺虫剤等の噴霧にあたって、低い場所にある台板の裏面や、家庭の流し台や洗面台の下面、床上に置かれた戸袋等の箱状体内面の隅部上端に噴霧するためには、噴射器を下方にもっていき、容器を傾けて噴霧しなければならず、使い勝手がよくないという問題があった。
【０００４】
とくに、箱状体内面の上端部に噴霧する場合には、噴射方向を変えるため、噴射ノズルの方向をその都度変えるか、容器の方向を変えなければならない。
容器の方向を変えた場合は、押レバーの操作方向を変えなければならず、低い所での使用であるので、操作性がよくないという問題があった。
【０００５】
本発明は、上記問題を解決することを課題として、容器に、レバー支持板を連設したポンプ支持体を介してポンプを取付けるとともに、レバー支持板にレバーを取付け、ポンプの作動筒上端に噴射ノズルの方向を上方斜方向に傾斜させて取付け、低い場所にある台板の裏面、箱状体の内面隅部に噴霧する場合にも、片手で簡単に操作できるトリガー式液体噴射器を提供することを目的とする。
【課題を解決するための手段】
【０００６】
本発明は、上記の課題を解決するため、トリガー式液体噴射器として、容器と、レバー支持板を連設したポンプ支持体と、ポンプ支持体を介して容器に取着されたポンプと、ポンプの作動筒上端に連設された噴射ノズルと、レバー支持板に取着され、作動筒に連結したレバーとを具備したトリガー式液体噴射器であって、作動筒の上端部を傾斜させ、噴射ノズルをポンプの軸線に対して傾斜させるようにしたことを特徴とする構成を採用する。
【０００７】
トリガー式液体噴射器の別実施例として、容器と、レバー支持板を連設したポンプ支持体と、ポンプ支持体を介して容器に取着されたポンプと、ポンプの作動筒に接続された噴射ノズルと、レバー支持板に取着され、作動筒に連結したレバーとを具備したトリガー式液体噴射器であって、作動筒上端に連結部材を連設し、該連結部材に噴射ノズルを廻動自在に取付けたことを特徴とする構成を採用する。
【０００８】
レバーのストッパーとして、レバー支持板に、レバーの側板に設けた係合片と係合する係止板を設けたストッパーが廻動自在に取着されていることを特徴とする構成を採用する。
【発明の効果】
【０００９】
トリガー式液体噴射器において、噴射ノズルの噴射方向を、容器とポンプの軸線に対して、上方斜方向に傾斜させるようにしたから、容器とポンプを所望する場所に向けて噴霧することができ、また、低い位置にある台板の裏面にも容易に噴霧できるようになった。
【発明を実施するための最良の形態】
【００１０】
次に、本発明のトリガー式液体噴射器について、実施例をあげて説明する。
【実施例１】
【００１１】
本実施例は、ポンプの作動筒に噴射ノズルを上方斜方向に傾斜させて取付けたもので、図１において、Ａは容器、Ｂはポンプ支持体、Ｃはポンプ、Ｄは噴射ノズル、Ｅはレバーである。
【００１２】
図１に示すように、容器Ａは、外周にねじを螺設した口筒部１を具えており、ポンプ支持体Ｂは、ポンプ支持部Ｂ１とレバー支持板Ｂ２とからなっている。
【００１３】
ポンプ支持部Ｂ１は、取付キャップ２と、該取付キャップ２に立設されたポンプＣの支持筒３および案内筒４とからなり、取付キャップ２は、パッキンを介して容器Ａの口筒部１に螺着され、ポンプＣが容器Ａに取付けられる。
レバー支持板Ｂ２は、ポンプ支持部Ｂ１から延びる板状体よりなっており、レバーＥの枢着部５と、レバーＥを係止するストッパー６の枢着部７が設けられている。
【００１４】
ポンプＣは、シリンダー１０とピストン１１、ステム１２とからなっている。
シリンダー１０の下端は、ボール弁１３を配設した弁座となっており、その下方には、吸込みパイプ１４が垂設されている。
ピストン１１は、連結部１５を介して連設された内筒１６と外筒１７とからなり、ステム１２の中間部に嵌挿されている。
ステム１２の下方は、拡径部１８となっており、下端には、複数のリブ１９が設けられ、シリンダー１０の底壁に載置されている。
リブ１９とピストン１１の連結部１５の間に、圧縮ばね２０が弾装されている。
【００１５】
図１、２に示すように、案内筒４には、ビストン１１の作動筒２１が嵌挿され、作動筒２１の下端は、ピストン１１の連結部１５に係合されるようになっており、上部には、外周に枢着軸２２を突設した連結部２３が設けられている。
作動筒２１は、連結部２３の上方で傾斜され、上端には、支持筒２４を立設したフランジ２５が連設されている。
【００１６】
図２に示すように、噴射ノズルＤは、支持筒２４の外周に取着されたノズル筒３０と、支持筒２４の内部に装着されたノズルピストン３１、およびバルブ３２とを具えている。
ノズル筒３０は、頂壁３３と側周壁３４とからなり、頂壁３３には、先端にノズル孔３５を設けたノズルチップ３６が取着され、頂壁３３下面には、ノズルチップ３６の流路に連通する流通口３７が設けられている。
【００１７】
ノズルピストン３１は、支持筒２４の内周面と係合する直線部３８と、ノズル筒３０の内周面に係合するテーパー部３９とからなる外筒４０と、該外筒４０と連結部材４１を介して連設された内筒４２とからなっており、内筒４２の内周は、拡径部４３と小径部４４とを具えている。
【００１８】
バルブ３２は、作動筒２１に嵌挿される軸杆４５と、軸杆４５の上端より突出した頭部４６を設けた突出軸４７とからなっており、頭部４６の外周面は、ノズルピストン３１の内筒４２の小径部４４に嵌合している。
軸杆４５の中間部には、複数の突出片４８が突設され、フランジ２５上面に接合しており、突出片４８とノズルピストン３１の間には、圧縮ばね４９が弾装されている。
【００１９】
図１に示すように、レバーＥは、押え板５０と両側板５１、両側板５１の上方に開孔を形成するように連設された連結板５２とからなり、レバーＥの後端部分は、レバー支持板Ｂ２の枢着部５に枢軸５３により枢着されている。
側板５１の内面には、作動筒２１の連結部２３の枢着軸２２に係合する長溝５４が設けられており、レバーＥを廻動操作することによって、作動筒２１を上下動させることができるようになっている。
【００２０】
図３に示すように、ストッパー６は、レバー支持板Ｂ２の枢着部７に枢着される軸ピン５５と、軸ピン５５の両端に連設された係止部材５６と、先端に指かけ部を具えたつまみ５７ａを設けた操作アーム５７とからなっている。
係止部材５６は、ポンプＣの作動筒２１の軸心近くまで延び、案内筒４の上面に載置される載置部５８と、載置部５８の両側から後方に延びるとともに、上方に係止面を形成した係止板５９とからなっている。   
【００２１】
図１に示すように、ストッパー６の係止時には、載置部５８は、案内筒４上面に当接し、係止板５９の係止面には、レバーＥの側板５１に設けた係合片６０が当接するようになっている。  
【００２２】
次に、本発明液体噴射器の使用態様と作用効果について説明する。
噴射器の使用にあたって、まず、ストッパー６の係止を解除し、レバーＥを廻動可能にする。
図４に示すように、ストッパー６の操作アーム５７のつまみ５７ａを摘んで時計方向に廻動すると、載置部５８と係止板５９は、軸ピン５５を中心に廻動し、レバーＥの係合片６０と係合しない位置に移動させることができ、レバーＥを自由に廻動できるようになる。
【００２３】
噴射器使用の始めには、レバーＥを押圧操作して作動筒２１を押下げ、ポンプＣのピストン１１を最下端位置まで押下げると、ステム１２がバルブ３２を押上げ、ノズルピストン３１内筒４２と、バルブ頭部４６との間に間隙が形成され、ポンプＣ内の空気を噴射ノズルＤから噴射する。
【００２４】
次に、レバーＥの押圧を解くと、ポンプＣの圧縮ばね２０の弾発力によって、ピストン１１が上昇し、吸込みパイプ１４より内容液が吸上げられ、シリンダー１０内に充満されることになる。
次に、レバーＥを押圧すると、作動筒２１は、レバーＥによって押下げられ、ピストン１１を押下げ、シリンダー１０内の液圧を高める。
液は、ステム１２と、作動筒２１との間、噴射ノズルＤのバルブ３２とフランジ２５との間を通り、ノズル筒３０内に送られ、ノズル筒３０内の液圧を高める。
【００２５】
図５に示すように、ノズル筒３０内の液圧の上昇とともに、ノズルピストン３１が後退し、内筒１６と頂壁３３との間に流路が形成され、高圧の液が流通口３７に入り、ノズル孔３５から噴射される。
一定量の液が噴射されると、ノズル筒３０内の液圧が弱まり、ノズルピストン３１が圧縮ばね２０の弾発力により前進し、流路が閉じられ、噴射が止められる。
レバーＥから手を離すと、ポンプＣの圧縮ばね２０の弾発力によってピストン１１が押上げられ、吸込みパイプ１４から内容液がシリンダー１０内に吸上げられる。
次に、レバーＥを押下げると、前と同様に液を噴射することができる。
【００２６】
使用が終了すると、ストッパー６を係止位置に戻す。
その際、つまみ５７ａを摘んでストッパー６を反時計方向に廻動させると、ストッパー６の載置部５８は、案内筒４上面に接合し、係止板５９は元の位置に戻って、レバーＥ側板５１の係合片６０が係止板５９の係止面に係合され、レバーＥは廻動できなくなる。
【００２７】
噴射器の使用にあたって、噴射ノズルＤは、容器ＡとポンプＣの軸線に対して、一定角度範囲をとっているから、レバーＥを押圧すると、上方斜方向に噴霧することができ、また、容器ＡとレバーＥを片手で掴んで、親指で押え板５０を押さえるようにしてレバーＥを操作することができるので、低い位置にある台板の裏面などにも容易に噴霧することができる。
さらに、容器とポンプを所望する方向に向け片手で操作することで、簡単に噴霧することもできるので、所望する場所に噴霧できる。
【実施例２】
【００２８】
次に、噴射ノズルが一定の範囲で廻動するようにした第２実施例について説明する。
本実施例は、ポンプの作動筒と噴射ノズルとを廻動可能に結合するようにしたものである。
前実施例と同様の構成部分は、同一の符号をもって図示するにとどめ、以下相違点を中心に説明する。
【００２９】
図６において、Ｆは上端に連結部材７０を設けたポンプの作動筒、Ｇは噴射ノズルである。
作動筒Ｆは、前実施例の作動筒２１に相当するもので、下端はポンプＣのピストン１１に係合し、作動筒Ｆ内部には、ステム１２が挿通するようになっている。
【００３０】
連結部材７０は、角形の基台７１と、その上部を二つ割りとして円形に削って成形した二枚の連結板７２とからなっており、角形の基台７１には、レバーＥとの連結子７３が突設されている。
連結板７２の中心には、軸受７４が設けられ、連結板７２の内面には、上端側から軸受７４に達する扇形状の案内溝７５が設けられている。
【００３１】
噴射ノズルＧは、連結板７２の間に嵌挿される取付板７６とフランジ７７および支持筒７８を具えており、支持筒７８には、前実施例と同様に、ノズル筒３０、ノズルピストン３１が装着されている。
取付板７６は、下端部は円弧となっており、両側面には、枢着ピン７９が突設されており、枢着ピン７９に近接して噴射ノズルＧの廻動範囲を規制するストッパー８０が突設されている。
取付板７６内部には、連通孔８１が穿孔されており、前実施例と同様に、バルブ３２が挿入されている。
【００３２】
次に、本実施例による作用効果について説明する。
噴射ノズルＧの連結部材７０への取付けは、取付板７６の枢着ピン７９を、案内溝７５に押込み、軸受７４に枢着させるようにして、取付板７６を連結板７２の間に嵌挿することで取付けられる。
ストッパー８０を案内溝７５の側面に当接させると、所定の廻動位置に保持される。
【００３３】
レバーＥを押圧操作すると、前実施例と同様に、ポンプＣのピストン１１が押下げられ、高圧の液を噴射ノズルＧに送る。
ノズル筒３０内の液圧が高められると、ノズル孔３５より液が噴射される。
【００３４】
噴射の方向を変えたいときには、噴射ノズルＧを廻動させると、ストッパー８０が案内溝７５の側面に係止される二つの方向を選択することができる。
また、ストッパー８０が案内溝７５の案内面に常時圧接するようにしておくと、任意の位置で止めることも可能である。
【００３５】
噴射器の使用にあたっては、レバーＥを押圧操作することによって、選択した方向に噴霧することができ、また、噴射ノズルＧの傾斜を選択することによって、低い位置にある台板や箱状体内面の隅部のいずれにも容易に噴霧することができる。
【００３６】
前記実施例で、噴射ノズルの取付板と連結部材とを平面内で廻動可能に結合したが、取付板を、連通孔を設けた球状体とし、連結部材を一定範囲の球面を作動筒の内部に連通する連通凹部とした球面状軸受けとし、結合手段、例えば袋ナット等で締付け、ユニバーサルジョイント型に結合してもよい。
【産業上の利用可能性】
【００３７】
噴射ノズルを、容器とポンプを軸線に対して上方斜方向に噴射させるようにしたから、容器とポンプを所望する方向に向けて噴霧したり、低い位置にある台板の裏面や、箱状体内面の隅部に向けて噴霧することができ、消毒剤や除菌剤、殺虫剤、洗剤等を噴霧する家庭用噴射器、或いは、化粧料や制汗剤等をわき下や首などの身体に噴霧する化粧料噴射器など、広い範囲に利用できる。
【図面の簡単な説明】
【００３８】
【図１】本発明のトリガー式液体噴射器の断面立面図である。
【図２】噴射ノズルの拡大説明図である。
【図３】ストッパーの説明図で、（ａ）は上面図、（ｂ）は側面図である
【図４】噴射器の作動開始時の説明図である。
【図５】液噴霧時の噴射器の説明図である。
【図６】第２実施例の噴射ノズルと連結部材の説明図で、（ａ）は分解時の断面正面図、（ｂ）は結合した状態の断面側面図である
【符号の説明】
【００３９】
Ａ          容器
Ｂ          ポンプ支持体
Ｂ１        ポンプ支持部
Ｂ２        レバー支持板
Ｃ          ポンプ
Ｄ、Ｇ      噴射ノズル
Ｅ          レバー
Ｆ          作動筒
１          口筒部
２          取付キャップ
３、７８    支持筒
４          案内筒
５、７      枢着部
６、８０    ストッパー
１０        シリンダー
１１        ピストン
１２        ステム
１３        ボール弁
１４        吸込みパイブ
２０        圧縮ばね
２１        作動筒
２２        枢着軸
２３        連結部
２４        支持筒
２５、７７  フランジ
３０        ノズル筒
３１        ノズルピストン
３２        バルブ
３３        頂壁
３４        側周壁
３５        ノズル孔
３６        ノズルチップ
３７        流通口
４０        外筒
４１        連結部材
４２        内筒
４５        軸杆
４６        頭部
４７        突出軸
５０        押え板
５１        側板
５５        軸ピン
５６        係止部材
５７        操作アーム
５８        載置部
５９        係止板
６０        係合片
７０        連結部材
７１        基台
７２        連結板
７３        連結子
７４        軸受
７５        案内溝
７６        取付板
７９        枢着ピン
８１        連通孔
【図１】
2005211855.tif 000003
【図２】
2005211855.tif 000004
【図３】
2005211855.tif 000005
【図４】
2005211855.tif 000006
【図５】
2005211855.tif 000007
【図６】
2005211855.tif 000008